【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
端末装置を、
物品が正規の物品であることを確認するための、前記物品に関する識別情報を取得する第一の取得手段と、
前記取得された識別情報がサーバに登録されているか否かに関する判定結果を、前記サーバから取得する第二の取得手段と、
前記取得された判定結果に応じて表示される画面であって、前記識別情報が前記サーバに登録されていない場合に表示される画面を介して、前記物品が購入された場所に関する購入場所情報の入力を受け付ける受付手段
として機能させることを特徴とするプログラム。
【請求項２】
前記端末装置を、
前記入力された購入場所情報を前記サーバに送信する送信手段
として更に機能させることを特徴とする、請求項１に記載のプログラム。
【請求項３】
前記送信手段は、前記取得された識別情報と対応づくように、前記入力された購入場所情報を前記サーバに送信することを特徴とする、請求項２に記載のプログラム。
【請求項４】
前記画面は、前記物品が正規の物品でない可能性があることを通知する画面であることを特徴とする、請求項１乃至３の何れか１項に記載のプログラム。
【請求項５】
前記受付手段は、前記識別情報が前記サーバに登録されている場合に表示される画面では、前記購入場所情報の入力を受け付けないことを特徴とする、請求項１乃至４の何れか１項に記載のプログラム。
【請求項６】
前記第二の取得手段は、前記サーバに前記取得された識別情報を送信することにより、前記判定結果を前記サーバから取得することを特徴とする、請求項１乃至５の何れか１項に記載のプログラム。
【請求項７】
前記購入場所情報は、前記場所に関する名称、前記場所を示す緯度及び経度、及び前記場所を示す住所のうちの少なくとも１つであることを特徴とする、請求項１乃至６の何れか１項に記載のプログラム。
【請求項８】
前記識別情報は、前記物品に貼り付けられたシールに記録された情報であることを特徴とする、請求項１乃至７の何れか１項に記載のプログラム。
【請求項９】
物品が正規の物品であることを確認するための、前記物品に関する識別情報を取得する第一の取得手段と、
前記取得された識別情報がサーバに登録されているか否かに関する判定結果を、前記サーバから取得する第二の取得手段と、
前記取得された判定結果に応じて表示される画面であって、前記識別情報が前記サーバに登録されていない場合に表示される画面を介して、前記物品が購入された場所に関する購入場所情報の入力を受け付ける受付手段と、
を有することを特徴とする端末装置。
【請求項１０】
物品が正規の物品であることを確認するための、前記物品に関する識別情報を取得する第一の取得工程と、
前記取得された識別情報がサーバに登録されているか否かに関する判定結果を、前記サーバから取得する第二の取得工程と、
前記取得された判定結果に応じて表示される画面であって、前記識別情報が前記サーバに登録されていない場合に表示される画面を介して、前記物品が購入された場所に関する購入場所情報の入力を受け付ける受付工程と、
を有することを特徴とする端末装置の制御方法。
【請求項１１】
サーバを、
物品が正規の物品であることを確認するための、前記物品に関する識別情報を、端末装置から取得する第一の取得手段と、
前記取得された識別情報が前記サーバに登録されているか否かに関する判定結果を、前記端末装置に送信する送信手段と、
前記送信された判定結果に応じて表示される画面であって、前記識別情報が前記サーバに登録されていない場合に表示される画面を介して入力された、前記物品が購入された場所に関する購入場所情報を前記端末装置から取得する第二の取得手段と、
前記取得された購入場所情報を記憶部に登録する登録手段、
として機能させることを特徴とするプログラム。
【請求項１２】
前記登録手段は、前記取得された購入場所情報と前記識別情報とを対応付けて、前記取得された購入場所情報を登録することを特徴とする、請求項１１に記載のプログラム。
【請求項１３】
前記サーバを、
前記取得された識別情報が前記サーバに登録されていない場合に、ユーザに通知する通知手段
として更に機能させることを特徴とする、請求項１１又は１２に記載のプログラム。
【請求項１４】
前記サーバを、
前記取得された識別情報が前記サーバに登録されているか否かを判定する判定手段
として更に機能させることを特徴とする、請求項１１乃至１３の何れか１項に記載のプログラム。
【請求項１５】
前記画面は、前記物品が正規の物品でない可能性があることを通知する画面であることを特徴とする、請求項１１乃至１４の何れか１項に記載のプログラム。
【請求項１６】
前記購入場所情報は、前記場所に関する名称、前記場所を示す緯度及び経度、及び前記場所を示す住所のうちの少なくとも１つであることを特徴とする、請求項１１乃至１５の何れか１項に記載のプログラム。
【請求項１７】
前記識別情報は、前記物品に貼り付けられたシールに記録された情報であることを特徴とする、請求項１１乃至１６の何れか１項に記載のプログラム。
【請求項１８】
物品が正規の物品であることを確認するための、前記物品に関する識別情報を、端末装置から取得する第一の取得手段と、
前記取得された識別情報がサーバに登録されているか否かに関する判定結果を、前記端末装置に送信する送信手段と、
前記送信された判定結果に応じて表示される画面であって、前記識別情報が前記サーバに登録されていない場合に表示される画面を介して入力された、前記物品が購入された場所に関する購入場所情報を前記端末装置から取得する第二の取得手段と、
前記取得された購入場所情報を記憶部に登録する登録手段と、
を有することを特徴とするサーバ。
【請求項１９】
物品が正規の物品であることを確認するための、前記物品に関する識別情報を、端末装置から取得する第一の取得工程と、
前記取得された識別情報がサーバに登録されているか否かに関する判定結果を、前記端末装置に送信する送信工程と、
前記送信された判定結果に応じて表示される画面であって、前記識別情報が前記サーバに登録されていない場合に表示される画面を介して入力された、前記物品が購入された場所に関する購入場所情報を前記端末装置から取得する第二の取得工程と、
前記取得された購入場所情報を記憶部に登録する登録工程と、
を有することを特徴とするサーバの制御方法。
【請求項２０】
物品が正規の物品であることを確認するための、前記物品に関する識別情報を取得する第一の取得手段と、
前記取得された識別情報が登録されているか否かに関する判定結果を取得する第二の取得手段と、
前記取得された判定結果に応じて表示される画面であって、前記識別情報が登録されていない場合に表示される画面を介して、前記物品が購入された場所に関する購入場所情報の入力を受け付ける受付手段と、
を有することを特徴とする情報処理システム。
【請求項２１】
物品が正規の物品であることを確認するための、前記物品に関する識別情報を取得する第一の取得工程と、
前記取得された識別情報が登録されているか否かに関する判定結果を取得する第二の取得工程と、
前記取得された判定結果に応じて表示される画面であって、前記識別情報が登録されていない場合に表示される画面を介して、前記物品が購入された場所に関する購入場所情報の入力を受け付ける受付工程と、
を有することを特徴とする情報処理システムの制御方法。
【手続補正２】
【補正対象書類名】明細書
【補正対象項目名】発明の名称
【補正方法】変更
【補正の内容】
【発明の名称】プログラム、端末装置、端末装置の制御方法、サーバ、サーバの制御方法、情報処理システム、情報処理システムの制御方法
【手続補正３】
【補正対象書類名】明細書
【補正対象項目名】０００１
【補正方法】変更
【補正の内容】
【０００１】
物品の正規品判定を行うプログラム、端末装置、端末装置の制御方法、サーバ、サーバの制御方法、情報処理システム、情報処理システムの制御方法に関する。
【手続補正４】
【補正対象書類名】明細書
【補正対象項目名】０００８
【補正方法】変更
【補正の内容】
【０００８】
本発明は、正規でない物品が購入された場所に関する情報を収集する負担を軽減することを目的とする。
【手続補正５】
【補正対象書類名】明細書
【補正対象項目名】０００９
【補正方法】変更
【補正の内容】
【０００９】
本発明の目的を達成するためにプログラムは、以下の構成を有する。すなわち、プログラムは、端末装置を、物品が正規の物品であることを確認するための、前記物品に関する識別情報を取得する第一の取得手段と、前記取得された識別情報がサーバに登録されているか否かに関する判定結果を、前記サーバから取得する第二の取得手段と、前記取得された判定結果に応じて表示される画面であって、前記識別情報が前記サーバに登録されていない場合に表示される画面を介して、前記物品が購入された場所に関する購入場所情報の入力を受け付ける受付手段として機能させることを特徴とする。
【手続補正６】
【補正対象書類名】明細書
【補正対象項目名】００１０
【補正方法】変更
【補正の内容】
【００１０】
本発明によれば、正規でない物品が購入された場所に関する情報を収集する負担を軽減することができる。